(57)【要約】【課題】撮影者が水平を意図する操作をすることなく、水平な画像を撮影できる撮影及び再生装置を提供することを目的とする。【解決手段】撮影対象を入力とし、その画像データを出力するカメラ手段と、傾き角データを出力する水平センサ手段と、入力された前記画像データを表示する表示手段と、前記カメラ手段の画像データと前記水平センサ手段が出力する傾き角データを入力とし、前記画像データを前記傾き角データだけ回転させ新たな画像データを出力する回転手段とを備える。【選択図】図１
2006060743.tif 000002
【特許請求の範囲】
【請求項１】
撮影対象を入力とし、その画像データを出力する撮影手段と、
本装置の水平に対する傾き角データを出力する水平センサ手段と、
前記撮影手段から入力された画像データを表示する表示手段と、
前記撮影手段からの画像データと前記水平センサ手段が出力する傾き角データとを入力とし、前記画像データを前記傾き角データだけ回転させ新たな画像データを出力する回転手段とを備えることを特徴とする撮影及び再生装置。
【請求項２】
撮影対象を入力とし、その画像データを出力する撮影手段と、
本装置の水平に対する傾き角データを出力する水平センサ手段と、
前記撮影手段から入力された画像データを表示する表示手段と、
前記画像データと前記傾き角データとを記録する画像情報保持手段とを備えることを特徴とする撮影及び再生装置。
【請求項３】
画像情報保持手段は、画像データを記録する第一画像情報保持手段と、前記傾き角データを記録する第二画像情報保持手段とで構成されたことを特徴とする請求項２記載の撮影及び再生装置。
【請求項４】
回転手段を備えることを特徴とする請求項２及び請求項３記載の撮影及び再生装置。
【発明の詳細な説明】
【技術分野】
【０００１】
本発明は動画や静止画を撮影し、再生する撮影及び再生装置に関する。
【背景技術】
【０００２】
従来の動画や静止画の撮影装置は、手ぶれ補正手段を有するものがある。手ぶれ補正手段によって撮影画像のぶれを補正し、記録することが可能になる。また、装置の水平を基準とした傾きを検出して、撮影時の補助手段として利用しているものもある（例えば、特許文献１参照。）
【特許文献１】特開２００２−２７１６５４号公報
【発明の開示】
【発明が解決しようとする課題】
【０００３】
上記特許文献１の撮影装置では水平に撮影するための補助手段を提供しているにすぎない。撮影者が水平な画像を撮影したい場合、補助手段を用いて撮影装置を水平に保持する必要があり、操作が煩雑になる問題点があった。
【０００４】
本発明は上記問題点に鑑みてなされたものであり、撮影者が水平を意図する操作をすることなく、水平な画像を撮影できる撮影及び再生装置を提供することを目的とする。
【課題を解決するための手段】
【０００５】
本発明は課題を解決するために、撮影対象を入力とし、その画像データを出力するカメラ手段と、傾き角データを出力する水平センサ手段と、入力された前記画像データを表示する表示手段と、前記カメラ手段の画像データと前記水平センサ手段が出力する傾き角データを入力とし、前記画像データを前記傾き角データだけ回転させ新たな画像データを出力する回転手段とを備えることを特徴とする。
【０００６】
これにより、撮影者が装置を水平に保持することなく、水平な画像を再生することができる。
【０００７】
また、前記画像データと前記傾き角データを記録する画像情報保持手段を備えることにより、画像を記録しておくことが可能である。
【０００８】
この画像情報保持手段は、前記画像データを記録する第一画像情報保持手段と、
前記傾き角データを記録する第二画像情報保持手段と
でもよい。
【発明の効果】
【０００９】
本発明は撮影者が撮影装置を水平に保持しなくても、再生時に水平な画像を表示することを可能とする。
【発明を実施するための最良の形態】
【００１０】
以下、本発明の実施形態を添付図面を参照しながら詳細に説明する。
【００１１】
図１は実施形態に係わる撮影及び再生装置の構成を示した図である。
【００１２】
図１において、１００は撮影手段であるカメラである。カメラ１００は撮影用のレンズと、レンズの像を電子データに変換する撮像素子であるＣＣＤと、ＣＣＤを制御する制御回路で構成される。制御回路は静止画撮影を指示する入力を受けた場合、レンズの像をＣＣＤが電子データに変換し、この電子データを画像データとして出力する。また制御回路は動画撮影を指示する入力を受けた場合、終了を指示する入力を受けるまで画像データを連続して出力する。
【００１３】
１０１は水平センサ手段である水平センサである。本実施の形態の水平センサ１０１は、水平状態に対する本装置の傾きによって値が可変する可変抵抗器と、この可変抵抗器の抵抗値を電子データに変換する変換回路で構成したが、これに限定されるものではなく他構成であっても構わない。水平からの傾きが０度の場合、すなわち水平な状態の場合、抵抗値を変換回路は０に変換し出力する。また水平からの傾きが右回転方向δ度の場合、抵抗値を変換回路はδに変換し出力する。また水平からの傾きが左回転方向δ度の場合、抵抗値を変換回路は−δに変換し出力する。このように水平センサ１０１は水平の状態を０、右回転方向の傾きを正の値、左回転方向の傾きを負の値として、傾き角データを出力する。なお、本実施の形態では、δ＝９０度未満を想定した構成としているが、これに限定されるものではない。
【００１４】
１０２は表示手段である液晶ディスプレイである。液晶ディスプレイ１０２は液晶表示部と液晶制御部で構成される。液晶制御部は入力された画像データを液晶表示部に表示する。本実施の形態では液晶としたが、表示手段であればこれに限定されるものではない。
【００１５】
１０３は画像情報記録媒体である。画像情報記録媒体１０３は画像データと傾き角データの組み合わせを複数記録できる記録媒体で構成される。画像データは、カメラ１００が出力する画像データを記録したものであり、液晶ディスプレイ１０２で表示することができる。傾き角データは、カメラ１００が出力した傾き角データを記録したものである。画像情報記録媒体１０３が、記録を指示する入力と画像データの入力と傾き角データの入力とを受け取った場合、未記録の記録媒体（あるいは記録媒体における記録領域）を探し出し、探し出した記録媒体（あるいは記録媒体における記録領域）に入力された画像データと傾き角データを記録する。また画像情報記録媒体１０３が、再生を指示する入力を受け取った場合、記録されている画像データと傾き角データを順次出力する。終了を指示する入力を受け取った場合、再生を終了する。
【００１６】
１０４はシステム制御回路である。システム制御回路１０４は１００〜１０３のそれぞれを制御しデータの入出力を行う回路と、回転手段である画像回転回路１０４ａで構成される。またこの他に、図示はしていないが撮影者からの各種入力をシステム制御回路１０４は受け付ける。
【００１７】
画像回転回路１０４ａは画像データと傾き角データを入力とし、画像データを傾き角データだけ回転させた新たな画像データを出力する。回転方法は、角度が正の場合はその値だけ右回転、負の場合はその値だけ左回転を画像データに対して施す。
【００１８】
システム制御回路１０４は撮影者からの入力に応じてカメラ１００に対し、（１）静止画撮影、（２）動画撮影、（３）終了のいずれかの指示を出力する。（１）静止画撮影、（２）動画撮影を指示した場合は、それぞれカメラ１００が出力する静止画あるいは動画の画像データを入力として受け取る。またシステム制御回路１０４がカメラ１００に対して（１）静止画撮影、（２）動画撮影を指示した場合は、水平センサ１０１が出力する傾き角データを入力として同時に受け取る。またシステム制御回路１０４はカメラ１００が出力する画像データと水平センサ１０１が出力する傾き角データとを入力として受け取った場合、画像情報記録媒体１０３に画像データと傾き角データとを出力し、記録を指示する。またシステム制御回路１０４は撮影者からの入力に応じて画像情報記録媒体１０３に対して（１）静止画再生、（２）動画再生、（３）終了のいずれかの指示を出力する。（１）静止画再生、（２）動画再生を指示した場合は、画像情報記録媒体１０３が出力する画像データを液晶ディスプレイ１０２へ出力し、画像データを表示させる。
【００１９】
またシステム制御回路１０４は撮影者からの入力に応じて画像情報記録媒体１０３に対して（１）水平静止画再生、（２）水平動画再生、（３）終了のいずれかの指示を出力する。（１）水平静止画再生、（２）水平動画再生を指示した場合は、画像情報記録媒体１０３が出力する画像データと傾き角データとを画像回転回路１０４ａに入力し、画像回転回路１０４ａの出力を液晶ディスプレイ１０２へ出力し、画像データを表示させる。
【００２０】
次に撮影者が本撮影及び再生装置を用いて画像を撮影し、再生する動作を順をおって説明する。図５は図１に示した撮影及び再生装置の撮影の動作を示すフローチャートである。また図６は図１に示した撮影及び再生装置の再生の動作を示すフローチャートである。以降、このフローチャートを用いて撮影、再生及び水平再生に関して順に動作を説明する。まずは撮影の動作を説明する。
【００２１】
撮影時の動作としては、
（１）  撮影者は、撮影を指示する入力をシステム制御回路１０４に入力する。
（２）  次にシステム制御回路１０４は、カメラ１００を用いて映像を撮影し、その撮影データを受け取る。（図５ステップ５００）
（３）  同時にシステム制御回路１０４は、水平センサ１０１から傾き角データを受け取る。（図５ステップ５０１）
（４）  次にシステム制御回路１０４は、（２）で受け取った撮影データと上記（３）で受け取った傾き角データを画像情報記録媒体１０３に記録させる。（図５ステップ５０２）
（５）  次に撮影者の入力が静止画撮影の場合は終了する。そうでない場合は図５ステップ５０４へ移行する。（図５ステップ５０３）
（６）  次に撮影者の入力が終了の場合は終了する。そうでない場合はステップ５００へ移行する。（図５ステップ５０４）
次に再生及び水平再生の動作を説明する。
（１）  撮影者は、再生または水平再生を指示する入力をシステム制御回路１０４に入力する。
（２）  水平静止画再生または水平動画再生の場合は図６ステップ６０１に移行し、そうでない場合は図６ステップ６０３に移行する。（図６ステップ６００）
（３）  （２）で図６ステップ６０１に移行した場合は、画像情報記録媒体１０３に対して水平静止画再生または水平動画再生のいずれかの指示を出力する。（図６ステップ６０１）
（４）  画像情報記録媒体１０３が出力する画像データと傾き角データとを画像回転回路１０４ａに入力し、画像回転回路１０４ａの出力を液晶ディスプレイ１０２へ出力する。画像回転回路１０４ａは傾き角データが正の場合はその値だけ右回転、負の場合はその値だけ左回転を画像データに施し、出力する。（図６ステップ６０２）
（５）  （２）で図６ステップ６０２に移行した場合は、画像情報記録媒体１０３に対して静止画再生または動画再生のいずれかの指示を出力する。（図６ステップ６０３）
（６）  画像情報記録媒体１０３が出力する画像データを液晶ディスプレイ１０２へ出力する。（図６ステップ６０４）
（７）  画像データを液晶ディスプレイ１０２が表示する。（図６ステップ６０５）
（８）  撮影者が終了を入力した場合、終了する。そうでない場合は図６ステップ６００へ移行する。
【００２２】
以上説明した動作に従った撮影画像の例として、図２、図３、図４を説明する。
【００２３】
図２に記した２００は画像情報記記録媒体の一例である。この例の画像情報記記録媒体２００は２０１の稲妻に相当する画像データと傾き角データとして２０２に示すように「１５度」を記憶している。撮影及び再生装置が図２に示した画像情報記記録媒体２００を保持している場合、撮影者が「水平静止画再生」をシステム制御回路１０４に指示すれば、液晶ディスプレイ１０２は図３に示した表示を行う。この場合、図２の稲妻に相当する画像データ２０１を１５度だけ右回転を施した画像を表示する。一方、撮影者が「静止画再生」をシステム制御回路１０４に指示すれば、液晶ディスプレイ１０２は図４に示した表示を行う。この場合、図２の稲妻に相当する画像データ２０１をそのまま表示する。以上本発明の実施形態の一例を記載した。
【００２４】
なお、本発明の実施形態はこれに限らない。他の実施形態には以下が考えられる。
【００２５】
（１）画像データと傾き角データは一つの記録媒体に記録されるとは限らない。すなわち画像データと傾き角データは別の記録媒体に記録してもよい。図７は実施形態の一例を示した図である。７００はシステム制御回路１０４に相当する。７０１は画像情報記録媒体１０３の画像データのみを記録する。７０２は画像情報記録媒体１０３の傾き角データのみを記録する。この他に７０１と７０２の対応を記録するため、７０１と７０２に共通の通し番号が必要となる。
【００２６】
（２）表示は液晶ディスプレイ１０２に限らない。画像信号を出力する端子を備え、テレビジョン受像機等の再生装置で画像を見ることも可能である。
【００２７】
（３）画像情報記録媒体１０３は本実施の形態では半導体メモリとしたが、ハードディスクドライブ（ＨＤＤ）等の磁気記録媒体でもよいし、光ディスクなどの光学式記録媒体でもよく、媒体の種類に限定されない。
【産業上の利用可能性】
【００２８】
本発明にかかる撮影及び再生装置は、カメラ手段と水平センサ手段とシステム制御手段と画像情報保持手段と表示手段を有し、デジタルスチルカメラ等として有用である。またデジタルビデオムービー等の用途にも応用できる。
【図面の簡単な説明】
【００２９】
【図１】本発明の実施形態のブロック図
【図２】本発明の実施形態の画像情報記録媒体の例を示す図
【図３】本発明の実施形態の液晶ディスプレイの表示例を示す図
【図４】本発明の実施形態の液晶ディスプレイの表示例を示す図
【図５】本発明の実施形態の撮影動作のフローチャート
【図６】本発明の実施形態の再生動作のフローチャート
【図７】本発明の実施形態の画像情報記録媒体の例を示す図
【符号の説明】
【００３０】
１００    カメラ
１０１    水平センサ
１０２    液晶ディスプレイ
１０３    画像情報記録媒体
１０４    システム制御回路
１０４ａ    画像回転回路
【図１】
2006060743.tif 000003
【図２】
2006060743.tif 000004
【図３】
2006060743.tif 000005
【図４】
2006060743.tif 000006
【図５】
2006060743.tif 000007
【図６】
2006060743.tif 000008
【図７】
2006060743.tif 000009